(57)【特許請求の範囲】
【請求項１】
第１のシート材と透明な第２のシート材とを重ね合わせて絵画を収納する絵画収納部を上下方向に２以上形成するシート状絵画展示具において、ある絵画収納部とそれに隣接する絵画収納部とは第１のシート材と第２のシート材とを連結する連結手段で区画されており、前記連結手段は、上下方向にある絵画収納部の間や、最下段の絵画収納部の下辺を閉塞することなく、絵画収納部に収納された絵画を下方から支持するものであり、かつ第１のシート材と第２のシート材との間に空間を形成し、両シート材を密着させないものであることを特徴とするシート状絵画展示具。
【請求項２】
第１のシート材と透明な第２のシート材とを重ね合わせて絵画を収納する絵画収納部を上下方向に１つ形成するシート状絵画展示具において、第１のシート材と第２のシート材とを連結して絵画収納部を形成する連結手段は、上下方向にある絵画収納部の下辺を閉塞することなく、絵画収納部に収納された絵画を下方から支持するものであり、かつ第１のシート材と第２のシート材との間に空間を形成し、両シート材を密着させないものであることを特徴とするシート状絵画展示具。
【請求項３】
前記連結手段は、組ネジであることを特徴とする請求項１又は２記載のシート状絵画展示具。
【請求項４】
前記第１のシート材の最上端側には、シート状絵画展示具を吊り下げるための吊り下げ手段が設けられていることを特徴とする請求項１、２又は３記載のシート状絵画展示具。
【請求項５】
前記絵画収納部に隣接して短冊状シートが挿入可能な短冊挿入部が形成されていることを特徴とする請求項１、２、３又は４記載のシート状絵画展示具。
【発明の詳細な説明】
【技術分野】
【０００１】
本発明は、絵画を展示する際に使用するシート状絵画展示具に関する。
【背景技術】
【０００２】
絵画を展示する際、特に小中学校で絵画を展示する場合には、絵画を画鋲や両面粘着テープで直接壁面に貼り付けるのが一般的である。画鋲や両面粘着テープが絵画や壁面を傷つけるので、画鋲を使用せずに絵画を展示するものとして特開２００４−４９３３３号公報の『簡易展示パネル』が創案されている。
【０００３】
この『簡易展示パネル』は、『２以上の板状部材を折り畳み自在に連接し、該板状部材の１面又は両面に透明性を有する収納部材を複数付設』したものである。
この『簡易展示パネル』は、より具体的には、板状部材を屏風状に連結し、透明ポリエチレン樹脂、透明アクリル樹脂等の透明プラスチック材料を、両側縁部及び底縁部のみを接着剤で板状部材に接着してポケット状の収納部材として形成しているのである（段落番号００１８参照）。
【０００４】
【特許文献１】特開２００４−４９３３３号
【発明の開示】
【発明が解決しようとする課題】
【０００５】
しかしながら、上述した『簡易展示パネル』には以下のような問題点がある。
まず、絵画からは画材のかけらや消しかす等が剥落するが、『簡易展示パネル』の収納部材に収納、特に長期間収納されていたり、何度も出し入れすると、収納部材の下側に前記かけら等が溜まってしまい、最悪の場合には絵画を汚損することがある。
また、収納部材には１枚の絵画しか収納することができない。すなわち、この『簡易展示パネル』は単に絵画を展示するのに使用されるだけで、絵画を収納する機能を持たないのである。また、この『簡易展示パネル』は、板状部材から構成されるために自分自身の収納スペースも大きくなる。
【０００６】
また、絵画の制作においては、好ましくは３ｍ程度、少なくとも２ｍは離れた場所から絵画を観察することが必要であるが、従来のように絵画を筒状に丸めて収納していると、すぐに絵画を観察することは困難である。特に、絵画を常日頃から観察することが上達にとって必要不可欠なポイントであることを考えると、従来のように絵画を筒状に丸めて収納していることは望ましくない状態であるといえる。
【０００７】
本発明は、上記事情に鑑みて創案されたもので、展示する画材のかけら等で汚損することがなく、しかも絵画を展示しながら多数の絵画を丸めることなく収納することができ、さらには自身の収納スペースも少なくてすむシート状絵画展示具を提供することを目的としている。
【課題を解決するための手段】
【０００８】
本発明に係るシート状絵画展示具は、第１のシート材と透明な第２のシート材とを重ね合わせて絵画を収納する絵画収納部を上下方向に２以上形成するシート状絵画展示具であって、ある絵画収納部とそれに隣接する絵画収納部とは第１のシート材と第２のシート材とを連結する連結手段で区画されており、前記連結手段は、上下方向にある絵画収納部の間や、最下段の絵画収納部の下辺を閉塞することなく、絵画収納部に収納された絵画を下方から支持するものであり、かつ第１のシート材と第２のシート材との間に空間を形成し、両シート材を密着させない構成になっている。
また、本発明に係る他のシート状絵画展示具は、第１のシート材と透明な第２のシート材とを重ね合わせて絵画を収納する絵画収納部を上下方向に１つ形成するシート状絵画展示具であって、第１のシート材と第２のシート材とを連結して絵画収納部を形成する連結手段は、上下方向にある絵画収納部の下辺を閉塞することなく、絵画収納部に収納された絵画を下方から支持するものであり、かつ第１のシート材と第２のシート材との間に空間を形成し、両シート材を密着させないようになっている。
【０００９】
前記連結手段としては、組ネジを使用することができる。
【００１０】
前記第１のシート材の最上端部には、シート状絵画展示具を吊り下げるための吊り下げ手段が設けられている。
【００１１】
また、絵画収納部に接して短冊状シートが挿入可能な短冊挿入部を形成することも可能である。
【発明の効果】
【００１２】
本発明に係るシート状絵画展示具は、絵画収納部が上下方向で連なっているため、絵画収納部に収納された絵画から絵の具等が剥落しても絵画収納部に溜まることがなく、下方に落下してしまうので、絵画を汚損することがない。
【００１３】
また、本発明に係るシート状絵画展示具では、第１のシート材と第２のシート材との間に空間を形成し、両シート材を密着させないようになっているので、展示している絵画の後ろ側に複数枚の絵画を収納することができる。
このため、絵画を収納する際に筒状に丸める必要がなく、すぐに絵画を展示することができる。
【００１４】
また、このシート状絵画展示具には吊り下げ手段が設けられているので、シート状絵画展示具を吊り下げておき、常に絵画を展示することができる。これは絵画の上達には常日頃からの絵画の観察が必要不可欠であるという観点から非常に望ましいものである。
【００１５】
さらに、このシート状絵画展示具に、絵画収納部に接して短冊状シートを挿入できる短冊収納部を設けると、展示中の絵画の作品名、作者名を示すことができるというメリットがある。
【図面の簡単な説明】
【００１６】
【図１】本発明の第１の実施の形態に係るシート状絵画展示具の概略的正面図である。
【図２】本発明の第１の実施の形態に係るシート状絵画展示具の概略的側面図である。
【図３】本発明の第１の実施の形態に係るシート状絵画展示具の絵画収納部の概略的拡大側面図である。
【図４】本発明の第１の実施の形態に係るシート状絵画展示具を構成する棒体の切込を示す概略的斜視図である。
【図５】本発明の第１の実施の形態に係るシート状絵画展示具に連結手段として使用される組ネジの概略的分解斜視図である。
【図６】本発明の第２の実施の形態に係るシート状絵画展示具の概略的正面図である。
【図７】本発明の他の実施の形態に係るシート状絵画展示具の概略的正面図である。
【図８】本発明の他の実施の形態に係るシート状絵画展示具の概略的正面図である。
【図９】本発明のさらに他の実施の形態に係るシート状絵画展示具の上部の図面であって、同図（Ａ）は概略的斜視図、同図（Ｂ）は概略的側面図である。
【図１０】本発明のさらに他の実施の形態に係るシート状絵画展示具の概略的正面図である。
【図１１】本発明のその他の実施の形態に係るシート状絵画展示具の棒体を示す概略的斜視図である。
【発明を実施するための形態】
【００１７】
本発明の第１の実施の形態に係るシート状絵画展示具は、第１のシート材１００と透明な第２のシート材２００とを重ね合わせて絵画Ｐを収納する絵画収納部３００を上下方向に２以上形成するシート状絵画展示具であって、ある絵画収納部３００とそれに隣接する絵画収納部３００とは第１のシート材１００と第２のシート材２００とを連結する連結手段としての組ネジ４００で区画されており、前記連結手段は、上下方向にある絵画収納部３００の間や、最下段の絵画収納部３００の下辺を閉塞しないようになっている。
【００１８】
まず、第１のシート材１００としては、厚手の縦長四角形の布地が適している。最上縁部は、折り返して縫いつけられることで上側筒状部１１０Ａとなっている。また、最下縁部は、折り返して縫いつけられることで下側筒状部１１０Ｂとなっている。
この上側筒状部１１０Ａと下側筒状部１１０Ｂとには、それぞれ円柱状の棒体１２０Ａ、１２０Ｂが挿入される。この棒体１２０Ａ、１２０Ｂは、両筒状部１１０Ａ、１１０Ｂに挿入された状態で端部が両筒状部１１０Ａ、１１０Ｂから若干はみ出す程度の長さに設定されている。
【００１９】
特に上側筒状部１１０Ａに挿入される棒体１２０Ａ（シート状絵画展示具の最上端部に相当する）には、このシート状絵画展示具を吊り下げるための吊り下げ手段としての紐体１３０が両端に掛け渡されている。なお、棒体１２０Ａの両端部近傍に切込１２１Ａを形成し、この切込１２１に紐体１３０を入れ込むことで紐体１３０のずれを防止することができる。
これらの棒体１２０Ａ、１２０Ｂは、シート状絵画展示具を吊り下げた時に上縁部と下縁部とが真っ直ぐになるために用いられ、また下側の棒体１２０Ｂは錘の役目も果たしている。
なお、図面では、棒体１２０Ａ、１２０Ｂの端部がシート状絵画展示具の両横方向から突出しているが、突出しない長さであってもよい。この場合は、棒体１２０Ａ、１２０Ｂが突出しないので、壁面等を傷つけるおそれを低減することができる。
また、棒体１２０Ａ、１２０Ｂは中実な棒体であるとしたが、丸パイプや他のものであってもよいことはいうまでもない。丸パイプの場合には、内部に紐体１３０を貫通させればよい（図２参照）。
あるいは、図１１に示すように、棒体１２０Ａの端部に貫通しない穴１２２を設け、この穴１２２を横断するように釘１２３を貫通させ、この釘１２３を用いて紐体１３０を引っ掛けるようにしてもよい。このような構成であると、棒体１２０Ａの端部を上側筒状部１１０Ａから突出させることなく、紐体１３０を取り付けることが可能になる。
【００２０】
一方、前記第２のシート材２００は、第１のシート材１００と略同一サイズの縦長四角形になっている。この第２のシート材２００としては、透明な合成樹脂、例えば、塩化ビニール製のものが使用される。
【００２１】
前記第１のシート材１００と第２のシート材２００とを連結する連結手段としては、組ネジ４００が用いられる。この組ネジ４００は、図５に示すように、雄ネジ４２０と、この雄ネジ４２０が螺合する雌ネジ４２２Ａが形成されたスリーブ部４１２を有する雌ネジ部４１０とから構成される。なお、雌ネジ部４１０には、雄ネジ４２０の頭部と同様の頭部４１１が設けられている。雄ネジ４２０を雌ネジ４２２Ａに螺合させることで雄ネジ４２０を雌ネジ部４１０に連結させる。かかる組ネジ４００を使用すると、雌ネジ部４１０の円筒形状のスリーブ部４１２が第１のシート材１００と第２のシート材２００との間に位置することになるため、第１のシート材１００と第２のシート材２００との間に絵画収納部３００となる空間が確保されることになる。
そして、絵画Ｐは、図１〜図３に示すように、組ネジ４００によって下方から支持される。
【００２２】
なお、前記スリーブ部４１２に、例えばシリコンゴム等の柔軟性を有する素材からなる円筒体を外嵌させておけば、絵画Ｐへの当たりが柔らかくなり、絵画Ｐを破損するおそれを低減させることができる。
【００２３】
例えば、図１に示すように、上下方向に３つの絵画収納部３００を有するタイプのシート状絵画展示具では、重ね合わされた第１のシート材１００及び第２のシート材２００お上縁部と、下縁部、その間の２箇所の合計４箇所に、横一列に一定の間隔で複数個（図面１では一列に４個）の組ネジ４００を取り付ける。各列の上下方向の間隔は、収納すべき絵画Ｐの縦寸法より若干大きく設定されている。なお、第１のシート材１００及び第２のシート材２００の幅寸法は、収納すべき絵画Ｐの横寸法より若干大きく設定されている。
【００２４】
このようにして構成されたシート状絵画展示具では、３つの絵画収納部３００にそれぞれ複数枚（図３では３枚の絵画Ｐを収納している。）の絵画Ｐを収納することができる（図３参照）。なぜなら、第１のシート材１００と第２のシート材２００との間に組ネジ４００による空間が確保されているためである。展示したい絵画Ｐは、最も外側、すなわち第２のシート材２００のすぐ裏側に位置させ、収納しておきたい絵画Ｐはその後ろ側に位置させる。
すなわち、このシート状絵画展示具は、絵画Ｐを展示するのみならず同時に収納することも可能になっているのである。
【００２５】
絵画Ｐから剥落した画材のかけらＤ等は、自重で下方向に落下するが、絵画収納部３００を隔てるのは、組ネジ４００であり、絵画収納部３００の下辺を閉塞しているのではなく、隙間があるので、絵画収納部３００に溜まることはない。従って、剥落した画材のかけらＤ等によって絵画が汚損されるおそれは、従来の『簡易展示パネル』などより格段に少なくなっている。
【００２６】
上述した第１の実施の形態に係るシート状絵画展示具では、絵画収納部３００には絵画Ｐを収納するのみであったが、以下に説明する第２の実施の形態に係るシート状絵画展示具では、図６に示すように、絵画収納部Ｐの下側に短冊を挿入することができる短冊挿入部３１０が設けられている。
【００２７】
この短冊挿入部３１０は、図６に示すように、絵画収納部３００の下縁を構成する横一列の組ネジ４００と、短冊状シート５００を挿入可能な幅をあけてその下側に横一列に並べられた組ネジ４００とで構成される。短冊状シート５００は、例えば、作品名や作者名を記入するものである。
この短冊収納部３１０は、絵画収納部３００の下側のみならず、横側、上側に設けることを可能である。すなわち、短冊収納部３１０は、絵画収納部３００に接して設けられればよいのである。
なお、この第２の実施の形態に係るシート状絵画展示具は、短冊挿入部３１０が設けられたほかは、第１の実施の形態に係るシート状絵画展示具と同一であるので、詳細な説明は省略する。
【００２８】
上述した実施の形態では、絵画収納部３００を上下方向に３つ形成したシート状絵画展示具を挙げたが、図７に示すように、絵画収納部３００を横方向に３つ形成したタイプや（すなわち、絵画収納部３００を上下方向に１つ形成したタイプ）、図８に示すように、絵画収納部３００を上下方向に３つ、横方向に２つの合計６つ形成したタイプもあり得る。
【００２９】
図７に示すように、絵画収納部３００を横方向に連ねたものは、各絵画収納部３００の横方向を区画する縦方向に連なった組ネジ４００と、絵画収納部３００に収納された絵画Ｐの下端を保持するための横方向に連なった組ネジ４００とが必要になる。
【００３０】
さらに、図８に示すように、上下方向に３つ、横方向に２つの合計６つの絵画収納部３００を設けたシート状絵画展示具は、図１に示すシート状絵画展示具の絵画収納部３００の横方向を約２倍に拡大したものにほぼ等しくなっている。
なお、このように上下方向に複数、横方向に複数の絵画収納部３００を設けたタイプの場合、横方向の絵画収納部３００を３つ以上とする場合には、図１０に示すように、第２のシート材２００に、内側の絵画収納部３００に沿った切れ目３５０を形成することが望ましい。
この場合、切れ目３５０は絵画収納部３００への絵画Ｐの出し入れ口になるので、絵画収納部３００の横方向に設けられ、その部分には組ネジ４００を設けないようにする。
【００３１】
また、図９に示すように、第２のシート材２００の上端を第１のシート材１００の裏面側にまで回し込んだ状態で両シート材１００、２００を組ネジ４００等で連結するようにすれば、最上部の絵画収納部３００の上縁が閉塞されることになるので、最上部の絵画収納部３００への上側からの塵芥等の侵入を防止することができる。
【符号の説明】
【００３２】
１００    第１のシート材
２００    第２のシート材
３００    絵画収納部
４００    組ネジ（連結手段）
【図１】
0005281059.tif 000002
【図２】
0005281059.tif 000003
【図３】
0005281059.tif 000004
【図４】
0005281059.tif 000005
【図５】
0005281059.tif 000006
【図６】
0005281059.tif 000007
【図７】
0005281059.tif 000008
【図８】
0005281059.tif 000009
【図９】
0005281059.tif 000010
【図１０】
0005281059.tif 000011
【図１１】
0005281059.tif 000012